(57)【特許請求の範囲】
【請求項１】
裏面に合成樹脂層を有する床仕上材の裏面に、粘着剤を部分的に設けてなる床仕上材であって、該床仕上材の裏面同士を向かい合わせて重ね合わせたときに、該粘着剤同士が互いに重なり合うように構成されている床仕上材セットにおいて、該粘着剤は、床仕上材の４隅およびそれ以外の裏面に部分的に設けられており、かつ、４隅部分を除く周辺部に２５〜１００ｍｍの均等間隔で設けられていることを特徴とする床仕上材セット。
【請求項２】
請求項１記載の床仕上材セットにおける周辺部に均等間隔で設けられる粘着剤について、粘着剤同士の間隔が５０〜２５０ｍｍである個所を４辺のうち少なくとも１辺の辺央部に設け、ここを易剥離部としたことを特徴とする床仕上材セット。
【発明の詳細な説明】
【０００１】
【発明の属する技術分野】
本発明は、裏面に合成樹脂層を有する床仕上材の裏面に、粘着剤を部分的に設け、該床仕上材の裏面同士を向かい合わせて重ね合わせたときに、該粘着剤同士が互いに重なり合うように構成されてなる滑り止め剤付き床仕上材セットに関する。
【０００２】
【従来の技術】
合成樹脂裏打ち材を有する床仕上材の裏打ち材裏面に、粘着剤を部分的に設けてなる床仕上材は公知である。例えば、特開平６−３２２９３７号公報には裏面周縁に沿って連続した粘着剤塗膜が形成された粘着施工用内装材が開示されている。この内装材は、２枚一組で裏面同士が重ね合わせになっており施工時に分離して床面に貼着される。しかしながら、粘着剤が周縁全部に連続して形成されているため剥がしにくく、施工性に劣る。
【０００３】
一方、特許第２９０７８０９号発明は、粘着剤を裏面周縁に沿って、１枚１枚にとっては不連続であるが、２枚重ね合わせたときに裏面周面に連続して全周囲を囲繞するように塗布されたタイルカーペットセットが開示されている。このタイルカーペットは確かに剥がすと言う点においては前述の物より優れているが、粘着剤は互いに相手方の塗布されていない部分に塗布しなければならず（塗布位置が５０％以下に制限される）、粘着剤が偏在しやすいという本質的な欠点がある。特に周縁で粘着剤が偏在すると、タイルがそったりはがれたりするという問題が生じる。
これに対して、実用新案登録第２５６８８８９号公報には、一対のタイルカーペットの裏面には、互いに裏面同士を相対させたとき互いに対向するように、互いに鏡像関係にあり、かつ同一パターンの接着剤層を点在させるとともに、同裏面のコーナー部には少なくとも一側縁から離間して接着剤層を設け、該一対のタイルカーペットは互いにその裏面同士が互いの接着剤層を対向させて張り合わせられるとともに、かつ互いに分離可能とされたことを特徴とするタイルカーペットの組合せ体について記載され、さらに、作業場で使用する場合には、タイルカーペットの裏面のコーナー部で接着剤層が設けられていない部分を摘んで、互いに貼着されているタイルカーペット同士を引き剥がす旨説明されている。しかし、このタイルカーペットを床面に施工し、長期の使用に供する場合、歩行やキャスターの移動、タイルカーペットの寸法変化などによって目地部分、とくに角部において反りや剥離が生じ易い。
【０００４】
【発明が解決しようとする課題】
本発明の目的は、施工が容易でかつ剥がれたり反ったりすることのない粘着剤付き床仕上材セットを提供する点にある。
【０００５】
【課題を解決するための手段】
本発明の第１は、裏面に合成樹脂層を有する床仕上材の裏面に、粘着剤を部分的に設けてなる床仕上材であって、該床仕上材の裏面同士を向かい合わせて重ね合わせたときに、該粘着剤同士が互いに重なり合うように構成されている床仕上材セットにおいて、該粘着剤は、床仕上材の４隅およびそれ以外の裏面に部分的に設けられており、かつ、４隅部分を除く周辺部に２５〜１００ｍｍの均等間隔で設けられていることを特徴とする床仕上材セットに関する。
本発明の第２は、請求項１記載の床仕上材セットにおける周辺部に均等間隔で設けられる粘着剤について、粘着剤同士の間隔が５０〜２５０ｍｍである個所を４辺のうち少なくとも１辺の辺央部に設け、ここを易剥離部としたことを特徴とする床仕上材セットに関する。
【０００６】
本発明において最も重要な点は、粘着剤を部分的に設けてなる床仕上材において、該床仕上材の裏面同士を向かい合わせて重ね合わせたときに、該粘着剤同士が互いに重なり合うように構成する点である。こうすることにより、施工時に互いを分離したときに粘着剤の新しい面を露出させることができ、良好な粘着効果を発揮させることができる。粘着剤を重ならないように塗布すると、分離したとき粘着剤の新しい面が出にくくなり、粘着効果が不均一になったり、充分発揮されないことがおこる。
【０００７】
一方、粘着剤付き床仕上材を床面に施工し、使用に供する場合、歩行やキャスターの移動、床仕上材の寸法変化などによって目地が突上げたり反ったりする問題が発生する。このような問題は床仕上材の角部において発生し易い。そこで本発明においては床仕上材の４つの隅部全部に粘着剤を設けることにより前述の問題を解決するものである。
図１は本発明の１実施例である。タイル状の床仕上材１の隅部３およびそれ以外の裏面に粘着剤２が部分的に設けられている。隅部に設けられる粘着剤は、隅部から辺に沿った距離で(図中のＬ１）５〜３０ｍｍ（好ましくは１０〜２０ｍｍ）が適当である。
【０００８】
本発明に使用する粘着剤は、塗布量３０ｇ／ｍ２で粘着剤を塗布したものが示すせん断粘着力が０．０３Ｎ／ｍｍ２以下、好ましくは０．０２Ｎ／ｍｍ２以下、０．０１Ｎ／ｍｍ２以上のものを使用することが好ましい。せん断粘着力が０．０３Ｎ／ｍｍ２以上のものを使用すると施工時に剥がしにくくなり、作業性が極端に低下する。また、せん断粘着力が０．０１Ｎ／ｍｍ２未満となると、施工時に目地ずれがおこりやすいし、施工後でもスロープ部分などにおいてズレが発生したりするので、好ましくない。せん断粘着力の試験方法はＪＩＳ  Ｚ  ０２３７による。
【０００９】
粘着剤の塗布割合は、裏面の全面積の３０％以下、３％以上、好ましくは２０％以下、さらに好ましくは４〜１０％とする。３０％以上にすると施工時に剥がしにくく、作業性が低下するしコスト高になる。隅部以外の裏面の塗布パターンは特に制限がないが全体に均等なパターンであることが好ましい。とくに直径が５〜２０ｍｍのいわゆる水玉模様の塗布パターンで所定の面積比となるように均等に塗布するのが好ましい。但し、床仕上材の周辺部は剥がし易い範囲内で塗布比率を高くするほうが仕上材の施工後の安定という点で、好ましい。本発明者らの研究によれば、床仕上材の端縁から内部に向けて５０ｍｍまでの範囲には全塗布量の８０％〜４０％を使用することが好ましい。そのうえで、仕上材裏面全体に対して粘着剤塗布部分が３０％以下となるように調節すると、施工時に剥がし易く且つ施工後ずれにくい施工ができるので極めて好ましい（図１参照）。
【００１０】
前記床仕上材の４隅部分を除く周辺部に、均等間隔で前記粘着剤塗布部分を有し、かつその間隔が２５〜１００ｍｍであるようにする。このような間隔をおいて粘着剤塗布部分を設けると、前記床仕上材が粘着剤同士が互いに重なり合って床仕上材セットとなっているものを、２枚の床仕上材に分離するとき、前記２５〜１００ｍｍの粘着剤がない間隔部分に丁度指をうまく差し込むことができ、スムーズに床仕上材セットを分離することができ、作業効率を確保することができる。ただし、粘着剤が強い場合は間隔が狭いと剥がし難くなることは避けられないので辺央部のみ粘着剤の間隔を他よりも広く(図1、Ｌ２、５０〜２５０ｍｍ）して易剥離部４を設けることが好ましい。この易剥離部４は４辺のうち少なくとも１辺に設ければ良いが、施工効率の観点からは４辺全てに設けることが好ましい。この易剥離部４は辺端から中央に向かって（図中のＬ３）２０〜７０ｍｍが適当である。４隅部分はそれ以外の周辺部分とは条件が異なるのでそれ以外の部分と同様にすることができないが、床仕上材セットの分離には何の影響もないので、施工後のずれが生じない程度に粘着剤が存在すれば格別の問題はない。
【００１１】
本発明の床仕上材の裏面に存在する合成樹脂層としては、ポリ塩化ビニル、ポリオレフィン、エチレン−酢酸ビニル共重合体などからなる樹脂組成物が使用できる。また、床仕上材としては、カーペットタイルや樹脂系床仕上材などが好適である。勿論表面も裏面も合成樹脂製の床仕上材の場合には、改めて全裏面に合成樹脂層を設ける必要がないのは当然である。
【００１２】
粘着剤としては、水系、溶剤系、あるいは紫外線や電子線硬化型またはホットメルト系のものなどせん断粘着力の条件以外はとくに制限はないが、ＳＢＲ、ＮＢＲなどのラテックス類、酢酸ビニル樹脂、エチレン−酢酸ビニル共重合体、アクリル系樹脂などのエマルジョン類が使用できる。また、粘着剤用の重合体や共重合体を架橋させたタイプのもの、重合性単量体と架橋性単量体とを重合、架橋させたタイプのものなども使用することができるが、具合的には、ウレタン系、アクリル系、スチレン−ブタジエン系などのポリマーを挙げることができる。また、塩化ビニル系樹脂床材の場合には、塩化ビニル系樹脂も使用できるが、この場合は、可塑剤、特に比較的分子量の大きい可塑剤たとえば、トリメリット酸エステル系可塑剤を多量に配合することが必要である。この場合には、樹脂１００重量部に対してトリメリット酸エステル系可塑剤１００〜３００重量部を用いることが好ましい。とくに、好ましい粘着剤としては、多官能ポリイソシアネート化合物と分子量５００〜８０００のポリ（オキシアルキレン）グリコール（アルキレンの炭素数は２〜４である）との三次元架橋重合体を主成分とするものである。とりわけ前記多官能ポリイソシアネート化合物がポリオールとポリイソシアネートとの反応によって得られる末端イソシアネート基含有ポリイソシアネートであることが好ましく、また前記ポリ（オキシアルキレン）グリコールがポリ（オキシプロピレン）グリコールであることが好ましい（特許第２８０８２２５号〔００１３〕〜〔００１４〕、特開２０００−２４８２５０号公報参照）。また、実願平３−１１２１７９号マイクロフィルム〔００１０〕〜〔００１３〕記載のような紫外線硬化型のすべり止めも使用可能である。
【００１３】
【実施例】
以下に実施例をあげて本発明を説明するが、本発明はこれにより何ら限定されるものではない。
【００１４】
実施例１
タフテッドカーペット原反（厚さ３．５ｍｍ）の裏面に軟質塩化ビニルシート裏打ち材（厚さ２ｍｍ）を積層したカーペットタイル（５００×５００ｍｍ）の裏打ち材の隅部以外の裏面に、せん断粘着力０．０２Ｎ／ｍｍ２のアクリルエマルジョン系粘着剤を直径１０ｍｍの点状（図１および図３において符号２として表示）に裏面同士を合わせたときに粘着剤が互いに重なるように図１のとおりに塗布した。さらに４隅部にもＬ１＝３０ｍｍとなるように塗布し、辺央部に易剥離部４（Ｌ２＝１５０ｍｍ、Ｌ３＝３０ｍｍ）を形成した。図２〜図３は、図１を詳細に説明するためのものであり、図１の５００×５００ｍｍのタイルを５０×５０ｍｍに小分けして考えたとき、その小分けした部分（ａ−１）〜（ａ−４）、（ｂ−１）〜（ｂ−４）および（ｃ）の個所の粘着剤の正確な配置は、図３の（ａ−１）〜（ａ−４）、（ｂ−１）〜（ｂ−４）および（ｃ）に示す通りである。その結果、円状の粘着剤塗布部分２の数は、周辺部５０ｍｍ巾の領域に６８個、その他の領域に６２個となった。裏面全体に対する粘着剤塗布部分の面積比率は、
【数１】
｛（０．７８５４×１３０＋４．５×４）÷（５０×５０）｝×１００＝４．８０％
である。このカーペットタイルを２枚重ね合わせて６０日間放置した後、互いに引き剥がして床面に施工した。この床仕上材セットは周辺部の粘着剤が塗布されていない最短距離が２５ｍｍあり、簡単に指を差し込める易剥離部４があるので容易に分離でき、かつ、この５０ｃｍ角タイル１枚当りのせん断粘着力は、
【数２】
（７８．５４×１３０＋４５０×４）×０．０２＝２４０Ｎ
であり、施工後剥離、反りなどを起こすことがなく、良好な滑り止め性能が得られた。
一方、比較例としてせん断粘着力が０．０６Ｎ／ｍｍ２のすべり止め剤を用いて実施例１同様に床仕上材セットを製造した。しかし、このものは粘着力が強すぎ、指を差し込んでもセットの分離が容易ではなく、作業効率が大幅に低下した。
【００１５】
【発明の効果】
（１）本発明により、容易に分離できかつ充分な滑り止め性能も良好な床仕上材セットが得られる。
（２）離型紙などが不要で産業廃棄物を発生せず、コスト的にも環境面でも好ましい床仕上材セットが得られる。
【図面の簡単な説明】
【図１】実施例１における床仕上材の裏面に点状に適用された粘着剤の分布状態を示す平面図である。
【図２】図１の粘着剤の配置を説明するため、タイルを小分けして考え、それにしたがって説明するための小分け状態を示す。
【図３】各小分け部分（ａ−１）〜（ａ−４）、（ｂ−１）〜（ｂ−４）および（ｃ）における粘着剤の正確な配置を図３の（ａ−１）〜（ａ−４）、（ｂ−１）〜（ｂ−４）および（ｃ）として示す。
【符号の説明】
１  床仕上材
２  粘着剤
３  隅部
４  易剥離部
Ｌ１  隅部に設けられる粘着剤の隅部から辺に沿った距離
Ｌ２  辺央部の粘着剤の間隔
Ｌ３  易剥離部の辺端から中央に向っての距離
【図１】
0004683791.tif 000002
【図２】
0004683791.tif 000003
【図３】
0004683791.tif 000004